(57)【要約】【課題】光学素子への粉塵等の付着の防止、及び冷却対象要素に対する冷却機構の配設の制約の抑制を可能とし、冷却対象の効率的な冷却を可能とするプロジェクターを提供すること。【解決手段】筐体３と、筐体３に収納された光学素子と、光学素子を含む冷却対象要素の冷却のための冷却風を流動させる送風手段と、を有し、筐体３の内部には、防塵フィルター２０を介して筐体３の外部から冷却風が流入可能な防塵領域が形成され、光学素子は、筐体３のうちの防塵領域に収納され、送風手段は、防塵フィルター２０を介して筐体３の外部から防塵領域へ前記冷却風を流入させる第１送風手段である第１吸気ファン２１及び排気ファン２２と、防塵領域に収納され、第１送風手段によって防塵領域へ流入した冷却風を光学素子へ送出させる第２送風手段であるファン３４と、を備える。【選択図】図３
2011158527.tif 000002
【特許請求の範囲】
【請求項１】
筐体と、
前記筐体に収納された光学素子と、
前記光学素子を含む冷却対象要素の冷却のための冷却風を流動させる送風手段と、を有し、
前記筐体の内部には、防塵フィルターを介して前記筐体の外部から前記冷却風が流入可能な防塵領域が形成され、
前記光学素子は、前記筐体のうちの前記防塵領域に収納され、
前記送風手段は、
前記防塵フィルターを介して前記筐体の外部から前記防塵領域へ前記冷却風を流入させる第１送風手段と、
前記防塵領域に収納され、前記第１送風手段によって前記防塵領域へ流入した前記冷却風を前記光学素子へ送出させる第２送風手段と、
を備えることを特徴とするプロジェクター。
【請求項２】
前記筐体の内部には、前記防塵領域である第１の領域と、前記第１の領域からの前記冷却風が流入する第２の領域と、が形成され、
前記第２の領域には、前記光学素子以外の前記冷却対象要素が収納されることを特徴とする請求項１に記載のプロジェクター。
【請求項３】
前記筐体の内部には、前記第１の領域及び前記第２の領域を仕切る隔壁が形成され、
前記隔壁は、前記第１の領域から前記第２の領域へ流入する前記冷却風を通過させる間隙部を備えることを特徴とする請求項２に記載のプロジェクター。
【請求項４】
前記間隙部を開閉可能に形成された開閉部を備えることを特徴とする請求項３に記載のプロジェクター。
【請求項５】
前記第１送風手段は、前記第１の領域における内圧が前記第２の領域における内圧より高くなるように前記冷却風を流動させることを特徴とする請求項２から４のいずれか一項に記載のプロジェクター。
【請求項６】
前記第１送風手段は、
前記防塵フィルターを介して前記筐体の外部から前記防塵領域へ前記冷却風を吸入するための吸気ファンと、
前記防塵領域から前記筐体の外部へ前記冷却風を排気させるための排気ファンと、を備え、
前記吸気ファン及び前記排気ファンは、前記吸気ファンにより前記防塵領域へ吸入される前記冷却風の風量が、前記排気ファンにより前記防塵領域から排気される前記冷却風の風量より大きくなるように駆動が制御されることを特徴とする請求項１から５のいずれか一項に記載のプロジェクター。
【請求項７】
前記防塵フィルターを介して前記筐体の外部から前記第１の領域へ前記冷却風を吸入するための第１吸気ファンと、
前記筐体の外部から前記第２の領域へ前記冷却風を吸入するための第２吸気ファンと、を有し、
前記第１吸気ファン及び前記第２吸気ファンは、前記第１吸気ファンにより前記第１の領域へ吸入される前記冷却風の風量が、前記第２吸気ファンにより前記第２の領域へ吸入される前記冷却風の風量より大きくなるように駆動が制御されることを特徴とする請求項２から６のいずれか一項に記載のプロジェクター。
【発明の詳細な説明】
【技術分野】
【０００１】
本発明は、プロジェクター、特に、冷却機構を備えるプロジェクターに関する。
【背景技術】
【０００２】
プロジェクターには、例えば、液晶表示パネル及び偏光板を備える空間光変調装置、光源等を冷却する冷却機構が設けられる。従来、プロジェクターの冷却機構として、光学素子への粉塵等の付着を防止するために、防塵フィルターを介して吸気された空気によって各部を冷却する機構が提案されている（例えば、特許文献１及び２参照）。
【先行技術文献】
【特許文献】
【０００３】
【特許文献１】特開２００９−１８６７２０号公報
【特許文献２】特開２００９−１７５４０４号公報
【発明の概要】
【発明が解決しようとする課題】
【０００４】
プロジェクターは、ファンによる騒音をできるだけ抑制するために、冷却風による効率的な冷却が求められる。効率的な冷却のための構成としては、例えば、冷却風の流路ができるだけ小さい冷却用ダクトが採用される。簡易な構成を持つプロジェクターの場合は、冷却用ダクトの配設が比較的容易である一方、高精細或いは高輝度で複雑な構成を持つプロジェクターでは、冷却用ダクトの配設が困難な場合が生じる。例えば、光源の高輝度化に伴い複数の光学素子を冷却する必要があるプロジェクターでは、冷却対象である複数の光学素子へ冷却風を導くために複数の冷却ダクトが必要な場合や、複雑な形状の冷却ダクトが必要となる場合があり、このとき冷却ダクトの配設が困難となる。また、冷却用ダクトの形状が複雑になる場合、流体抵抗が大きくなるために、ファンの駆動による騒音が大きくなることや、冷却効率が低下することが課題となる。さらに、調整機構によって光学部品の位置を調整可能な構成の場合は、光学部品の位置を調整したときに、冷却対象要素である光学素子に対する冷却用ダクトの吹出口の位置にずれが生じ、冷却効率が低下する場合もある。本発明は、上述の問題に鑑みてなされたものであり、光学素子への粉塵等の付着の防止、及び冷却対象要素に対する冷却機構の配設の制約の抑制を可能とし、冷却対象の効率的な冷却を可能とするプロジェクターを提供することを目的とする。
【課題を解決するための手段】
【０００５】
上述した課題を解決し、目的を達成するために、本発明に係るプロジェクターは、筐体と、前記筐体に収納された光学素子と、前記光学素子を含む冷却対象要素の冷却のための冷却風を流動させる送風手段と、を有し、前記筐体の内部には、防塵フィルターを介して前記筐体の外部から前記冷却風が流入可能な防塵領域が形成され、前記光学素子は、前記筐体のうちの前記防塵領域に収納され、前記送風手段は、前記防塵フィルターを介して前記筐体の外部から前記防塵領域へ前記冷却風を流入させる第１送風手段と、前記防塵領域に収納され、前記第１送風手段によって前記防塵領域へ流入した前記冷却風を前記光学素子へ送出させる第２送風手段と、を備えることを特徴とする。
【０００６】
防塵領域に光学素子を収納することにより、光学素子への粉塵等の付着を防止する。第１送風手段と第２送風手段とを採用することにより、冷却対象要素である各光学素子に対して第２送風手段を高い自由度で配設することが可能となる。これにより、光学素子への粉塵等の付着の防止、及び冷却対象要素に対する冷却機構の配設の制約の抑制を可能とし、冷却対象を効率良く冷却できる。
【０００７】
また、本発明の好ましい態様としては、前記筐体の内部には、前記防塵領域である第１の領域と、前記第１の領域からの前記冷却風が流入する第２の領域と、が形成され、前記第２の領域には、前記光学素子以外の前記冷却対象要素が収納されることが望ましい。これにより、清浄な空気を流入させる第１の領域で光学素子を冷却するとともに、第２の領域で光学素子以外の冷却対象要素を冷却する。
【０００８】
また、本発明の好ましい態様としては、前記筐体の内部には、前記第１の領域及び前記第２の領域を仕切る隔壁が形成され、前記隔壁は、前記第１の領域から前記第２の領域へ流入する前記冷却風を通過させる間隙部を備えることが望ましい。これにより、第１の領域については高い防塵性を維持しつつ、第１の領域から第２の領域を経て冷却風を排出させる。
【０００９】
また、本発明の好ましい態様としては、前記間隙部を開閉可能に形成された開閉部を備えることが望ましい。送風手段を稼動させている間は開閉部が開かれることで、第１の領域から間隙部を通過して第２の領域へ冷却風を進行させる。送風手段を停止させている間は開閉部が閉じられることで、第１の領域を密封させ、清浄な状態を維持させる。
【００１０】
また、本発明の好ましい態様としては、前記第１送風手段は、前記第１の領域における内圧が前記第２の領域における内圧より高くなるように前記冷却風を流動させることが望ましい。間隙部では、第１の領域から第２の領域へ冷却風を流動させる。これにより、第２の領域から間隙部を通じて第１の領域への、粉塵等の混入を防ぐことができる。
【００１１】
また、本発明の好ましい態様としては、前記第１送風手段は、前記防塵フィルターを介して前記筐体の外部から前記防塵領域へ前記冷却風を吸入するための吸気ファンと、前記防塵領域から前記筐体の外部へ前記冷却風を排気させるための排気ファンと、を備え、前記吸気ファン及び前記排気ファンは、前記吸気ファンにより前記防塵領域へ吸入される前記冷却風の風量が、前記排気ファンにより前記防塵領域から排気される前記冷却風の風量より大きくなるように駆動が制御されることが望ましい。これにより、第１の領域における内圧を、第２の領域における内圧より高くする。
【００１２】
また、本発明の好ましい態様としては、前記防塵フィルターを介して前記筐体の外部から前記第１の領域へ前記冷却風を吸入するための第１吸気ファンと、前記筐体の外部から前記第２の領域へ前記冷却風を吸入するための第２吸気ファンと、を有し、前記第１吸気ファン及び前記第２吸気ファンは、前記第１吸気ファンにより前記第１の領域へ吸入される前記冷却風の風量が、前記第２吸気ファンにより前記第２の領域へ吸入される前記冷却風の風量より大きくなるように駆動が制御されることが望ましい。これにより、第１の領域における内圧を、第２の領域における内圧より高くする。
【図面の簡単な説明】
【００１３】
【図１】本発明の実施例に係るプロジェクターの概略構成を示す模式図。
【図２】第１の領域に収納されている構成を示す図。
【図３】プロジェクターの断面構成例を示す模式図。
【図４】変形例の特徴的部分の斜視構成を示す図。
【図５】送風手段を稼動させている場合における開閉部の状態を説明する模式図。
【図６】送風手段の稼動を停止させている場合における開閉部の状態を説明する模式図。
【図７】図５に示す開閉部等の、第２の領域側から見た上面模式図。
【図８】図６に示す開閉部等の、第２の領域側から見た上面模式図。
【発明を実施するための形態】
【００１４】
以下に図面を参照して、本発明の実施例を詳細に説明する。
【実施例】
【００１５】
図１は、本発明の実施例に係るプロジェクター１の概略構成を示す模式図である。プロジェクター１は、スクリーン等の被照射面へ光を投写させ、被照射面で反射する光を観察する、フロント投写型のプロジェクターである。プロジェクター１の筐体３の内部には、隔壁４で仕切られた第１の領域５と第２の領域６とが形成されている。第１の領域５には、第１光学系１１、第２光学系１２、第１波長選択性偏光変換素子１３、第２波長選択性偏光変換素子１４及び偏光プリズム１５が収納されている。第１の領域５には、光学像を得るための光学素子が主に収納されている。第２の領域６には、電源、バラスト、回路、コントローラ等が主に収納されている。
【００１６】
図２は、第１の領域５に収納されている構成を示す図である。プロジェクター１は、第１光学系１１及び第２光学系１２のそれぞれにより、画像信号に応じた光学像を形成する。第１光学系１１及び第２光学系１２は、偏光プリズム１５の偏光膜に関して略対称に位置し、向きを互いに略９０度異ならせて配置されている。
【００１７】
ここで、第１光学系１１の構成について説明する。第１光学系１１の光源１０１は、例えば、超高圧水銀ランプであって、赤色（Ｒ）光、緑色（Ｇ）光、青色（Ｂ）光を含む光を射出する。第１インテグレーターレンズ１０２及び第２インテグレーターレンズ１０３は、アレイ状に配列された複数のレンズ素子を有する。第１インテグレーターレンズ１０２は、光源１０１からの光束を複数に分割する。第１インテグレーターレンズ１０２の各レンズ素子は、光源１０１からの光束を第２インテグレーターレンズ１０３のレンズ素子近傍にて集光させる。第２インテグレーターレンズ１０３のレンズ素子は、第１インテグレーターレンズ１０２のレンズ素子の像を液晶表示パネル１１４Ｒ、１１４Ｇ、１１４Ｂに形成する。
【００１８】
偏光変換素子１０４は、第２インテグレーターレンズ１０３からの光を所定の直線偏光、例えばｓ偏光に変換させる。重畳レンズ１０５は、第１インテグレーターレンズ１０２の各レンズ素子の像を液晶表示パネル１１４Ｒ、１１４Ｇ、１１４Ｂの照射面上で重畳させる。第１ダイクロイックミラー１０６は、重畳レンズ１０５から入射したＲ光を透過させ、Ｇ光及びＢ光を反射させる。第１ダイクロイックミラー１０６を透過したＲ光は、反射ミラー１０７で反射され、１／２波長板（図示省略）でｐ偏光に変換される。入射側偏光板１１３Ｒは、ｐ偏光を透過させる。液晶表示パネル１１４Ｒは、画像信号に応じて、ｐ偏光をｓ偏光に変換させる。射出側偏光板１１５Ｒは、液晶表示パネル１１４Ｒからのｓ偏光を透過させる。入射側偏光板１１３Ｒ、液晶表示パネル１１４Ｒ及び射出側偏光板１１５Ｒは、Ｒ光を画像信号に応じて変調する空間光変調装置として機能する。
【００１９】
第２ダイクロイックミラー１０８は、第１ダイクロイックミラー１０６からのＧ光を反射させ、Ｂ光を透過させる。第２ダイクロイックミラー１０８で反射したＧ光は、ｓ偏光を透過させる入射側偏光板１１３Ｇを経て、液晶表示パネル１１４Ｇへ入射する。液晶表示パネル１１４Ｇは、画像信号に応じて、ｓ偏光をｐ偏光に変換させる。射出側偏光板１１５Ｇは、液晶表示パネル１１４Ｇからのｐ偏光を透過させる。入射側偏光板１１３Ｇ、液晶表示パネル１１４Ｇ及び射出側偏光板１１５Ｇは、Ｇ光を画像信号に応じて変調する空間光変調装置として機能する。
【００２０】
第２ダイクロイックミラー１０８を透過したＢ光は、リレーレンズ１０９、１１１、反射ミラー１１０、１１２を経て、１／２波長板（図示省略）でｐ偏光に変換される。入射側偏光板１１３Ｂは、ｐ偏光を透過させる。液晶表示パネル１１４Ｂは、画像信号に応じて、ｐ偏光をｓ偏光に変換させる。射出側偏光板１１５Ｂは、液晶表示パネル１１４Ｂからのｓ偏光を透過させる。入射側偏光板１１３Ｂ、液晶表示パネル１１４Ｂ及び射出側偏光板１１５Ｂは、Ｂ光を画像信号に応じて変調する空間光変調装置として機能する。色合成光学系であるクロスダイクロイックプリズム１１６は、それぞれ射出側偏光板１１５Ｒ、１１５Ｇ、１１５Ｂを透過した各色光を合成する。
【００２１】
第２光学系１２は、第１光学系１１とは光を進行させる方向が略９０度異なる他は、第１光学系１１と同様に構成されている。第１波長選択性偏光変換素子１３は、第１光学系１１のクロスダイクロイックプリズム１１６と偏光プリズム１５との間に配置されている。第１波長選択性偏光変換素子１３は、第１光学系１１からの各色光のうちの所定の色光について偏光方向を変換させる。本実施例では、第１波長選択性偏光変換素子１３は、Ｇ光をｐ偏光からｓ偏光へ変換させる。第１波長選択性偏光変換素子１３でｓ偏光に揃えられた各色光は、第１波長選択性偏光変換素子１３の射出側に設けられた１／２波長板でｐ偏光に変換された後、偏光プリズム１５へ入射する。
【００２２】
第２波長選択性偏光変換素子１４は、第２光学系１２のクロスダイクロイックプリズム１１６と偏光プリズム１５との間に配置されている。第２波長選択性偏光変換素子１４は、第２光学系１２からの各色光のうちの所定の色光について偏光方向を変換させる。本実施例では、第２波長選択性偏光変換素子１４は、Ｇ光をｐ偏光からｓ偏光へ変換させる。第２波長選択性偏光変換素子１４でｓ偏光に揃えられた各色光は、偏光プリズム１５へ入射する。
【００２３】
偏光プリズム１５は、第１光学系１１及び第２光学系１２からの光を合成して投写レンズ２へ射出する合成光学系である。偏光プリズム１５は、第１波長選択性偏光変換素子１３側から入射したｐ偏光を透過させ、第２波長選択性偏光変換素子１４側から入射したｓ偏光を反射させることにより、第１光学系１１からの光と第２光学系１２からの光とを合成する。図１に戻って、投写レンズ２は、偏光プリズム１５で合成された光を筐体３外部のスクリーン（図示省略）へ投写させる。プロジェクター１は、第１光学系１１による光学像と第２光学系１２による光学像とを、例えば斜め方向に半画素分ずらすことによって、高解像度画像を表示可能である。また、プロジェクター１は、第１光学系１１による光学像と第２光学系１２による光学像との画素を一致させることによって、高輝度画像の表示が可能である。
【００２４】
第１の領域５には、第１吸気ファン２１及び排気ファン２２が設けられている。第１吸気ファン２１は、防塵フィルター２０を介して、筐体３の外部の空気を第１の領域５へ吸入する。排気ファン２２は、第１光学系１１の光源１０１の近傍、第２光学系１２の光源１０１の近傍にそれぞれ設けられている。排気ファン２２は、第１の領域５から筐体３の外部へ空気を排出する。第１吸気ファン２１及び排気ファン２２は、防塵フィルター２０を介して筐体３の外部から冷却風を流入させる第１送風手段として機能する。第１の領域５は、防塵フィルター２０を介して筐体３の外部から冷却風が流入可能とされた防塵領域である。
【００２５】
第２の領域６には、第２吸気ファン２４及び排気ファン２５が設けられている。第２吸気ファン２４は、防塵フィルター２３を介して、筐体３の外部の空気を第２の領域６へ吸入する。第２の領域６の第２吸気ファン２４に設けられた防塵フィルター２３に対して、第１の領域５の第１吸気ファン２１に設けられた防塵フィルター２０は防塵性が高められており、第１の領域５は第２の領域６以上に清浄に保たれている。これにより、第１の領域５に収納される光学素子への粉塵等の付着を防止する。
【００２６】
図３は、プロジェクター１の断面構成例を示す模式図である。ここでは、図１に示すプロジェクター１の一部の要素を示して説明することとし、説明に不要な要素の図示を省略する。図中、白抜き矢印は、冷却風が流動する主な向きを表している。入射側偏光板１１３（１１３Ｒ、１１３Ｇ、１１３Ｂ）、液晶表示パネル１１４（１１４Ｒ、１１４Ｇ、１１４Ｂ）、射出側偏光板１１５（１１５Ｒ、１１５Ｇ、１１５Ｂ）及びクロスダイクロイックプリズム１１６は、支持部材３６によって、互いに位置決めされて一体に構成されている。支持部材３６は、第１調整機構２６に載置されている。第１調整機構２６は、支持部材３６に取り付けられた入射側偏光板１１３、液晶表示パネル１１４、射出側偏光板１１５及びクロスダイクロイックプリズム１１６の位置及び回転（傾き）を一括して調整する。
【００２７】
偏光プリズム１５は、第２調整機構２７に載置されている。第２調整機構２７は、偏光プリズム１５の位置及び回転（傾き）を調整する。プロジェクター１は、第１調整機構２６による液晶表示パネル１１４等の位置調整、第２調整機構２７による偏光プリズム１５の位置調整を経て、第１光学系１１による光学像と第２光学系１２による光学像とを画素レベルで位置合わせする。プロジェクター１は、第１調整機構２６及び第２調整機構２７の他、さらに他の光学素子の位置を調整するための調整機構を備える構成としても良い。
【００２８】
第１の領域５に収納された光学素子のうち、主な冷却対象要素である光源１０１と、偏光変換素子１０４と、支持部材３３の入射側偏光板１１３、液晶表示パネル１１４及び射出側偏光板１１５と、のそれぞれに対して、冷却機構３１、３２、３３が設けられている。冷却機構３１、３２、３３は、いずれも第１の領域５に収納されている。冷却機構３１、３２、３３は、それぞれ、ファン３４及びダクト３５を備える。冷却機構３１、３２、３３を構成するファン３４は、第１送風手段によって第１の領域５へ流入した冷却風を光学素子の各々へ送出させる第２送風手段として機能する。
【００２９】
冷却機構３１は、光源１０１の近傍に設けられ、光源１０１へ冷却風を送る。冷却機構３１のダクト３５は、光源１０１のうち例えばリフレクターの開口に向けられている。冷却機構３２は、偏光変換素子１０４の近傍に設けられている。冷却機構３２は、ダクト３５を通じて偏光変換素子１０４へ冷却風を送る。冷却機構３３は、支持部材３６の近傍に設けられている。冷却機構３３は、ダクト３５を通じて、入射側偏光板１１３、液晶表示パネル１１４及び射出側偏光板１１５へ冷却風を送る。各冷却機構３１、３２、３３は、冷却対象要素の近傍に設けられることで、ダクト３５を小型にすることが可能である。
【００３０】
なお、図３では入射側偏光板１１３、液晶表示パネル１１４及び射出側偏光板１１５へ冷却風を送る冷却機構として冷却機構３３のみを図示しているが、この冷却機構３３がさらに複数の冷却機構から構成されるものであっても良い。例えば、冷却機構３３が、Ｒ光用の入射側偏光板１１３Ｒ、液晶表示パネル１１４Ｒ及び射出側偏光板１１５Ｒへ冷却風を送る冷却機構３３Ｒと、Ｇ光用の入射側偏光板１１３Ｇ、液晶表示パネル１１４Ｇ及び射出側偏光板１１５Ｇへ冷却風を送る冷却機構３３Ｇと、Ｂ光用の入射側偏光板１１３Ｂ、液晶表示パネル１１４Ｂ及び射出側偏光板１１５Ｂへ冷却風を送る冷却機構３３Ｂとを備えるものであっても良い。
【００３１】
冷却風は、防塵フィルター２０を介して第１吸気ファン２１から第１の領域５へ流入する。第１の領域５へ流入した冷却風は、冷却機構３１、３２、３３によって、冷却対象要素である光学素子へ送出される。冷却対象要素である光学素子から熱を奪った冷却風は、排気ファン２２によって筐体３の外部へ排出される。冷却機構３１、３２、３３は、第１の領域５内において高い自由度で配設することが可能である。
【００３２】
例えば、液晶表示パネル１１４等へ冷却風を送る冷却機構３３は、第１調整機構２６による液晶表示パネル１１４等の位置調整に応じて、機構全体或いはダクト３５の向きを調整することができる。本実施例の構成の場合、冷却対象要素である光学素子の位置に合わせて冷却機構３１、３２、３３の位置を適宜調整可能であるため、光学素子を高い効率で冷却することができる。第２送風手段である冷却機構３１、３２、３３の少なくとも一つには、位置を調整するための調整機構を設けても良い。
【００３３】
第２の領域６に収納された電源、バラスト、回路及びコントローラは、光学素子以外の冷却対象要素に該当する。例えば、液晶表示パネル１１４を駆動するための回路基板２８は、第２の領域６に収納されている。ここでは、第２の領域６に収納された冷却対象要素の代表例として回路基板２８を示して説明することとし、第２の領域６に収納されたその他の冷却対象要素の図示を省略する。
【００３４】
冷却風は、防塵フィルター２３を介して第２吸気ファン２４から第２の領域６へ流入する。第２の領域６へ流入し回路基板２８等から熱を奪った冷却風は、排気ファン２２によって筐体３の外部へ排出される。なお、排気ファン２２は、図３に示すように第１の領域５と第２の領域６とで共通のものとしても良い。図１に示すように、第１の領域５と第２の領域６とのそれぞれに排気ファン２２、２５を設けることとしても良い。
【００３５】
第１の領域５と第２の領域６とを仕切る隔壁４には、間隙部３８が形成されている。間隙部３８は、例えば、液晶表示パネル１１４と回路基板２８とを接続するフレキシブル基板（図示省略）を貫通させるための開口である。間隙部３８は、第１の領域５から第２の領域６へ流入する冷却風を通過させる機能も果たす。
【００３６】
第１吸気ファン２１及び排気ファン２２は、第１吸気ファン２１により第１の領域５へ吸入される冷却風の風量が、排気ファン２２により第１の領域５から排気される冷却風の風量より大きくなるように駆動が制御されている。また、第１吸気ファン２１及び第２吸気ファン２４は、第１吸気ファン２１により第１の領域５へ吸入される冷却風の風量が、第２吸気ファン２４により第２の領域６へ吸入される冷却風の風量より大きくなるように駆動が制御されている。これにより、第１吸気ファン２１及び排気ファン２２は、第１の領域５における内圧が第２の領域６における内圧より高くなるように冷却風を流動させる。
【００３７】
このように、第２の領域６に対して第１の領域５の内圧を高くすることで、間隙部３８では、第１の領域５から第２の領域６への冷却風の流動を生じさせる。これにより、第２の領域６から間隙部３８を通じて第１の領域５への、粉塵等の混入を防ぐことが可能となる。さらに、第１の領域５の内圧は、筐体３外部の外圧よりも高いことが望ましい。これにより、第１吸気ファン２１以外から第１の領域５への外気の侵入を抑制し、第１の領域５を清浄に保つことができる。
【００３８】
なお、筐体３における第１の領域５及び第２の領域６の位置や体積の関係は任意であって、プロジェクター１の構成に応じて適宜決定可能である。送風手段を停止する間に、間隙部３８を通じた粉塵等の落下を低減させるために、第１の領域５及び第２の領域６を水平方向へ並列させることとしても良い。
【００３９】
本実施例のように、二系統の光学系に加え、光学素子の調整機構、電源や回路等、多くの要素を配置する構成の場合、各冷却対象要素へ順次冷却風を流動させるような冷却用ダクトを配設することは非常に困難となる。本実施例では、冷却用ダクトに代えて、第１の領域５へ空気を吸入するための第１送風手段と、第１の領域５内で光学素子の各々へ冷却風を送出させる第２送風手段とを採用することで、各光学素子に対して第２送風手段を高い自由度で配設することが可能となる。これにより、光学素子への粉塵等の付着の防止、及び冷却対象要素に対する冷却機構の配設の制約の抑制を可能とし、冷却対象を効率良く冷却できる。特に、高精細或いは高輝度なプロジェクター１については、部品点数が多い場合や光学素子の位置調整をする場合においても効率的な冷却が可能となる。
【００４０】
間隙部３８は、液晶表示パネル１１４と回路基板２８とを接続するフレキシブル基板を貫通させるものに限られず、第１の領域５の内圧を第２の領域６の内圧より高くできる限り、他の位置に設けられたものであっても良い。間隙部３８は、フレキシブル基板を貫通させる部分の他、例えば、第１の領域５、第２の領域６にて所望の向きへ冷却風を流動させるような位置に設けることとしても良い。
【００４１】
プロジェクター１は、送風手段を稼動させる間に少なくとも第２の領域６から第１の領域５への冷却風の流動を抑制可能であれば良く、送風手段を適宜変形しても良い。例えば、第１の領域５には、排気ファン２２を設けず、第１吸気ファン２１により吸入された空気全体を、第２の領域６に設けられた排気ファン２５によって排気する構成としても良い。
【００４２】
図４は、本実施例の変形例の特徴的部分の斜視構成を示す図である。本変形例は、間隙部３８を開閉可能に形成された開閉部４１を備えることを特徴とする。開閉部４１は、例えば、二枚の板部材を備える。板部材としては、柔軟性を備える部材、例えば、ポリイミド等の軟性樹脂材、フィルム材を用いる。
【００４３】
開閉部４１は、隔壁４のうち第２の領域６側において、間隙部３８を開閉可能に配置されている。開閉部４１を構成する板部材は、それぞれ固定部４２によって、隔壁４のうち間隙部３８近傍に固定されている。固定部４２は、間隙部３８のうち互いに対向する位置において、板部材の端部をそれぞれ固定する。板部材のうち固定部４２により固定された側とは反対側の端部は、フレキシブル基板４３を挟んで互いに対向している。図４には、開いている状態の開閉部４１を示している。回路基板２８は、支持部４４を介して隔壁４上に配置されている。隔壁４と回路基板２８との間に支持部４４を設けることによって、隔壁４とフレキシブル基板４３との間に、開閉部４１を開閉させるためのスペースが設けられている。
【００４４】
図５は、送風手段を稼動させている場合における開閉部４１の状態を説明する模式図である。図６は、送風手段の稼動を停止させている場合における開閉部４１の状態を説明する模式図である。ここでは、図１に示すプロジェクター１の一部の要素を示して説明することとし、説明に不要な要素の図示を省略する。図中、白抜き矢印は、冷却風が流動する主な向きを表している。
【００４５】
図７は、図５に示す開閉部４１及びその周辺の構成の、第２の領域６側から見た上面模式図である。送風手段を稼動させている間、開閉部４１は、第１の領域５から第２の領域６へ流動する冷却風の風圧によって、開いた状態となる。これにより、送風手段を稼動させている間は、開閉部４１が開かれることで、第１の領域５から間隙部３８を通過して第２の領域６へ冷却風を進行させる。
【００４６】
図８は、図６に示す開閉部４１及びその周辺の構成の、第２の領域６側から見た上面模式図である。送風手段の稼動を停止させ、第１の領域５から第２の領域６への冷却風の流動が無い状態である間、開閉部４１は、フレキシブル基板４３を挟んで閉じた状態となる。送風手段を停止させている間は開閉部４１が閉じられることで、第１の領域５を密封させ、清浄な状態を維持させる。このように、開閉部４１は、送風手段を稼動させる間は開き、送風手段の稼動を停止させる間は閉じるような開閉弁として機能する。柔軟性を備える部材で開閉部４１を構成することで、開閉部４１の開閉によるフレキシブル基板４３の損傷を防ぐことができる。
【００４７】
プロジェクター１は、開閉部４１を設けることで、送風手段を停止させている間も第１の領域５について高い防塵性を維持しつつ、送風手段を稼動させる間は第１の領域５から第２の領域６を経て冷却風を排出させる構成にできる。なお、開閉部４１は、冷却風の風圧に応じて開閉する構造に限られない。開閉部４１は、例えば、送風手段の駆動に応じて機械的な開閉動作を可能とした機構等であっても良い。
【００４８】
プロジェクター１の空間光変調装置は、透過型の液晶表示パネルを備えるものである場合に限られない。空間光変調装置は、反射型液晶表示装置（Ｌｉｑｕｉｄ  Ｃｒｙｓｔａｌ  Ｏｎ  Ｓｉｌｉｃｏｎ；ＬＣＯＳ）、ＤＭＤ（Ｄｉｇｉｔａｌ  Ｍｉｃｒｏｍｉｒｒｏｒ  Ｄｅｖｉｃｅ）、ＧＬＶ（Ｇｒａｔｉｎｇ  Ｌｉｇｈｔ  Ｖａｌｖｅ）等を備えるものであっても良い。また、プロジェクター１は、光学像を得るための二つの光学系を備える場合に限られず、光学像を得るための光学系は一つ或いは三つ以上であっても良い。上述する実施例のプロジェクター１は、第２送風手段であるファン３４を備える冷却機構として三つの冷却機構３１、３２、３３を有することとしているが、冷却機構の数は三つである場合に限られない。第２送風手段を備える冷却機構は一つのみとしてもよく、複数であってもよい。
【符号の説明】
【００４９】
１  プロジェクター、２  投写レンズ、３  筐体、４  隔壁、５  第１の領域、６  第２の領域、１１  第１光学系、１２  第２光学系、１３  第１波長選択性偏光変換素子、１４  第２波長選択性偏光変換素子、１５  偏光プリズム、２０、２３  防塵フィルター、２１  第１吸気ファン、２２、２５  排気ファン、２４  第２吸気ファン、２６  第１調整機構、２７  第２調整機構、２８  回路基板、３１、３２、３３  冷却機構、３４  ファン、３５  ダクト、３６  支持部材、３８  間隙部、４１  開閉部、４２  固定部、４３  フレキシブル基板、４４  支持部、１０１  光源、１０２  第１インテグレーターレンズ、１０３  第２インテグレーターレンズ、１０４  偏光変換素子、１０５  重畳レンズ、１０６  第１ダイクロイックミラー、１０７、１１０、１１２  反射ミラー、１０８  第２ダイクロイックミラー、１０９、１１１  リレーレンズ、１１３Ｒ、１１３Ｇ、１１３Ｂ、１１３  入射側偏光板、１１４Ｒ、１１４Ｇ、１１４Ｂ、１１４  液晶表示パネル、１１５Ｒ、１１５Ｇ、１１５Ｂ、１１５  射出側偏光板、１１６  クロスダイクロイックプリズム
【図１】
2011158527.tif 000003
【図２】
2011158527.tif 000004
【図３】
2011158527.tif 000005
【図４】
2011158527.tif 000006
【図５】
2011158527.tif 000007
【図６】
2011158527.tif 000008
【図７】
2011158527.tif 000009
【図８】
2011158527.tif 000010